(57)【要約】【課題】振動や温度変化によって発生する接触抵抗の増加を極力抑制できるジョイントコネクタ等を提供する。【解決手段】仕切壁３によってそれぞれ仕切られた複数の端子収容室４と、各仕切壁３に設けられたスリット５とを有するコネクタハウジング２と、電線が接続される電線接続部１１と、端子収容室４に挿入によって収容される端子本体部１２と、端子本体部１２の両側より突出され、スリット５に配置される一対の接点部２０，２１とを有するジョイント端子１０とを備え、隣り合う端子収容室４に収容されたジョイント端子１０の第１及び第２の接点部２０，２１同士が接触されることによって隣り合うジョイント端子１０同士が電気的に接続されるジョイントコネクタ１であって、端子本体部１２の両側の側壁部１４，１５には、仕切壁３の内面に弾性変形力を持って接触する一対のバネ部３０が設けられた。【選択図】図５
2013168300.tif 000002
【特許請求の範囲】
【請求項１】
仕切壁によってそれぞれ仕切られた複数の端子収容室と、前記各仕切壁に設けられたスリットとを有するコネクタハウジングと、
電線が接続される電線接続部と、前記端子収容室に挿入によって収容される端子本体部と、前記端子本体部の両側より突出され、前記スリットに配置される一対の接点部とを有するジョイント端子とを備え、隣り合う前記端子収容室に収容された前記ジョイント端子の互いの前記接点部同士が接触されることによって隣り合う前記ジョイント端子同士が電気的に接続されるジョイントコネクタであって、
前記端子本体部の両側の側壁部には、前記仕切壁の内面に弾性変形力を持って接触する一対のバネ部が設けられたことを特徴とするジョイントコネクタ。
【請求項２】
請求項１記載のジョイントコネクタであって、
前記バネ部は、前記側壁部からの切り起こしによって形成されていることを特徴とするジョイントコネクタ。
【請求項３】
電線が接続される電線接続部と、前記端子収容室に挿入によって収容される端子本体部と、前記端子本体部の両側より突出され、前記スリットに配置される一対の接点部とを有するジョイント端子とを備え、コネクタハウジングの隣り合う前記端子収容室に収容された前記ジョイント端子の互いの前記接点部同士が接触されることによって隣り合う前記ジョイント端子同士が電気的に接続されるジョイント端子であって、
前記端子本体部の両側の側壁部には、前記端子収容室の内面に弾性変形力を持って接触する一対のバネ部が設けられたことを特徴とするジョイント端子。
【請求項４】
請求項３記載のジョイント端子であって、
前記バネ部は、前記側壁部からの切り起こしによって形成されていることを特徴とするジョイント端子。
【発明の詳細な説明】
【技術分野】
【０００１】
本発明は、コネクタハウジングに挿入された複数のジョイント端子間を電気的に接続するジョイントコネクタ、及び、これに用いられるジョイント端子に関する。
【背景技術】
【０００２】
この種の従来のジョイントコネクタとして、特許文献１に開示されたものがある。このジョイントコネクタ５０は、図６及び図７に示すように、コネクタハウジング５１とこのコネクタハウジング５１に収容される複数のジョイント端子６０とを備えている。尚、図６では、ジョイント端子６０は、１個のみ記載され、他は省略されている。
【０００３】
コネクタハウジング５１には、仕切壁５２によってそれぞれ仕切られた複数の端子収容室５３が設けられている。各仕切壁５２には、スリット５４が設けられている。
【０００４】
ジョイント端子６０は、電線Ｗが接続された電線接続部６１と、電線接続部６１に一体に設けられた端子本体部６２と、端子本体部６２に一体に設けられた一対の接点部６３とを備えている。端子本体部６２は、底壁部６２ａと、左右一対の側壁部６２ｂとから主に構成されている、端子本体部６２は、挿入によって端子収容室５３に収容されている。一対の接点部６３は、一対の側壁部６２ｂの上端より折り曲げることによって形成されている。一対の接点部６３は、左右のスリット５４に配置されている。隣りの端子収容室５３に収容されたジョイント端子６０の互いの接点部６３同士は、重なり合って密着されている。これにより、隣り合うジョイント端子６０同士は、電気的に接続されている。
【０００５】
この従来例のジョイントコネクタ５０では、隣り合うジョイント端子６０同士が直接に電気的に接続されるため、ジョイント端子６０同士を連結する介在導電部材及びこれに付随する部品が必要ないという利点がある。
【先行技術文献】
【特許文献】
【０００６】
【特許文献１】実開平６−３６２６８号公報
【発明の概要】
【発明が解決しようとする課題】
【０００７】
前記従来例のジョイントコネクタ５０では、ジョイント端子６０の端子本体部６２が端子収容室５３内に挿入によって収容されるので、ジョイント端子６０の挿入を可能とするため、各側壁部６２ｂの外面と仕切壁５２の内面の間にはクリアランスができる寸法に設定される。
【０００８】
しかし、側壁部６２ｂと仕切壁５２の間にクリアランスがあると、振動環境下において、各ジョイント端子６０が端子収容室５３内で振動する。各ジョイント端子６０が振動すると、隣り合うジョイント端子６０の接点部６３同士が摺動し、接点抵抗が増加するという問題があった。最悪の場合には、ジョイント端子６０間が不導通になる恐れがある。
【０００９】
又、コネクタハウジング５１とジョイント端子６０は、熱膨張率が異なる材料で形成されるのが通常であるため、温度変化によってジョイント端子６０の端子本体部６２が端子収容室５３内で位置変動する。すると、ジョイント端子６０の接点部６３が位置変動し、接触抵抗が増加するという問題があった。
【００１０】
そこで、本発明は、前記した課題を解決すべくなされたものであり、振動や温度変化によって発生する接触抵抗の増加を極力抑制できるジョイントコネクタ、及び、これに用いられるジョイント端子を提供することを目的とする。
【課題を解決するための手段】
【００１１】
本発明は、仕切壁によってそれぞれ仕切られた複数の端子収容室と、前記各仕切壁に設けられたスリットとを有するコネクタハウジングと、電線が接続される電線接続部と、前記端子収容室に挿入によって収容される端子本体部と、前記端子本体部の両側より突出され、前記スリットに配置される一対の接点部とを有するジョイント端子とを備え、隣り合う前記端子収容室に収容された前記ジョイント端子の互いの前記接点部同士が接触されることによって隣り合う前記ジョイント端子同士が電気的に接続されるジョイントコネクタであって、前記端子本体部の両側の側壁部には、前記仕切壁の内面に弾性変形力を持って接触する一対のバネ部が設けられたことを特徴とするジョイントコネクタである。
【００１２】
他の本発明は、電線が接続される電線接続部と、前記端子収容室に挿入によって収容される端子本体部と、前記端子本体部の両側より突出され、前記スリットに配置される一対の接点部とを有するジョイント端子とを備え、コネクタハウジングの隣り合う前記端子収容室に収容された前記ジョイント端子の互いの前記接点部同士が接触されることによって隣り合う前記ジョイント端子同士が電気的に接続されるジョイント端子であって、前記端子本体部の両側の側壁部には、前記端子収容室の内面に弾性変形力を持って接触する一対のバネ部が設けられたことを特徴とするジョイント端子である。
【００１３】
前記バネ部は、前記側壁部からの切り起こしによって形成されることが好ましい。
【発明の効果】
【００１４】
本発明によれば、振動環境下において、ジョイント端子に振動が伝達し、ジョイント端子が振動しようとしても端子本体部の一対の側壁部と両側の仕切壁の間に一対のバネ部が介在されているため、一対のバネ部が撓み変形することによってジョイント端子の振動が抑制される。又、温度変化によって端子本体部の側壁部と仕切壁の間のクリアランスが変化しても、一対のバネ部が撓み変形量を可変することによってクリアランスの変化を吸収するため、ジョイント端子の端子収容室内での位置が変動せず、隣り合うジョイント端子の各接点部の接点位置の変動が抑制される。以上より、振動や温度変化によって発生する接触抵抗の増加を極力抑制できる。
【図面の簡単な説明】
【００１５】
【図１】本発明の一実施形態を示し、ジョイントコネクタの分解斜視図である。
【図２】本発明の一実施形態を示し、図１のＡ−Ａ線断面図である。
【図３】本発明の一実施形態を示し、ジョイントコネクタの要部拡大断面図である。
【図４】本発明の一実施形態を示し、ジョイント端子の斜視図である。
【図５】本発明の一実施形態を示し、（ａ）はジョイントコネクタの要部破断斜視図、（ｂ）はジョイント端子の底面側から見た要部斜視図である。
【図６】従来例を示し、ジョイントコネクタの分解斜視図である。
【図７】従来例を示し、図６のＢ−Ｂ線の一部拡大断面図である。
【発明を実施するための形態】
【００１６】
以下、本発明の一実施形態を図面に基づいて説明する。
【００１７】
図１〜図５は本発明の一実施形態を示す。図１〜図５に示すように、ジョイントコネクタ１は、絶縁製のコネクタハウジング２と、このコネクタハウジング２に収容される複数のジョイント端子１０とを備えている。尚、図１では、ジョイント端子１０は、１個のみ記載され、他は省略されている。
【００１８】
コネクタハウジング２には、仕切壁３によってそれぞれ仕切られた複数の端子収容室４が設けられている。各仕切壁３には、スリット５が設けられている。スリット５によって隣り合う端子収容室４間が連通されている。コネクタハウジング２には、各端子収容室４に対応する位置にランス６が一体に形成されている。各ランス６は、各端子収容室４に底面側より突出されている。
【００１９】
ジョイント端子１０は、図４に詳しく示すように、所定形状の導電性プレートを曲げ加工して形成されている。ジョイント端子１０は、電線が接続された電線接続部１１と、電線接続部１１に一体に設けられた端子本体部１２と、端子本体部１２に一体に設けられた第１及び第２の接点部２０，２１とを備えている。端子本体部１２は、底壁部１３と、この底壁部１３の両側縁より折り曲げられた左右一対の側壁部１４，１５とから主に構成されている。端子本体部１２は、挿入によって端子収容室４に収容されている。底壁部１３には、ランス係止孔１３ａが形成されている。ランス係止孔１３ａには、コネクタハウジング２のランス６が係止されている。これにより、ジョイント端子１０が端子収容室４より抜け出ないよう位置決めされている。
【００２０】
第１の接点部２０は、一方の側壁部１４の上端より水平方向に折り曲げられて形成されている。第１の接点部２０の高さは、下記する上方接点片部２１ａと下方接点片部２１ｂの間の高さに設定されている。第２の接点部２１は、他方の側壁部１５の上端より外側に向かって水平方向に折り曲げられた上方端子片部２１ａと、第１の接点部２０の内周縁より延設され、他方の側壁部１５より外側に向かって水平方向に延びる下方端子片部２１ｂとから構成されている。上方端子片部２１ａと下方端子片部２１ｂは、間隔を置いて平行に配置されている。第１及び第２の接点部２０，２１は、左右のスリット５に挿入されている。隣り合う端子収容室４に収容されたジョイント端子１０同士は、その第１の接点部２０が第２の接点部２１の上方端子片辺部２１ａと下方端子片部２１ｂの間に介在され、重なり合った状態で密着されている。これにより、隣り合うジョイント端子１０同士は、電気的に接続されている。
【００２１】
また、各側壁部１４，１５には、外側に突出する一対のバネ部３０が２箇所に設けられている。各バネ部３０は、各側壁部１４，１５の一部を切り起こすことによって形成されている。左右一対のバネ部３０は、両側の仕切壁３の内面に弾性変形力を持って接触されている。ジョイント端子１０を端子収容室４に挿入する際には、各バネ部３０の撓み変形によって挿入が許容される。
【００２２】
上記構成において、振動環境下において、ジョイント端子１０に振動が伝達し、ジョイント端子１０が振動しようとしても端子本体部１２の一対の側壁部１４，１５と両側の仕切壁３の間に一対のバネ部３０が介在されているため、一対のバネ部３０が撓み変形することによってジョイント端子１０の振動が抑制される。又、温度変化によって端子本体部１２の側壁部１４，１５と仕切壁３の間のクリアランスが変化しても、一対のバネ部３０が撓み変形量を可変することによってクリアランスの変化を吸収するため、ジョイント端子１０の端子収容室４内での位置が変動せず、隣り合うジョイント端子１０の第１及び第２の接点部２０，２１の接点位置の変動が抑制される。つまり、コネクタハウジング２とジョイント端子１０の熱伸縮差を一対のバネ部３０が吸収する。以上より、振動や温度変化によって発生する接触抵抗の増加を極力抑制できる。
【００２３】
各バネ部３０は、各側壁部１４，１５からの切り起こしによって形成されている。従って、バネ部３０を別部材を付加することなく容易に形成できる。
【００２４】
第２の接点部２１は、上方接点片部２１ａとこれに間隔を置いて配置された下方接点片部２１ｂを有する。そして、隣り合う端子収容室４に収容されたジョイント端子１０同士は、その第１の接点部２０が第２の接点部２１の上方端子片辺部２１ａと下方端子片部２１ｂの間に介在され、重なり合った状態で密着されている。従って、第１の接点部２０と第２の接点部２１の接触面積が大きいために、ジョイント端子１０同士が電気的に確実に接続される。
【符号の説明】
【００２５】
１  ジョイントコネクタ
２  コネクタハウジング
３  仕切壁
４  端子収容室
５  スリット
１０  ジョイント端子
１１  電線接続部
１２  端子本体部
１４，１５  側壁部
２０  第１の接点部（接点部）
２１  第２の接点部（接点部）
３０  バネ部
【図１】
2013168300.tif 000003
【図２】
2013168300.tif 000004
【図３】
2013168300.tif 000005
【図４】
2013168300.tif 000006
【図５】
2013168300.tif 000007
【図６】
2013168300.tif 000008
【図７】
2013168300.tif 000009